(57)【要約】【課題】本発明は、どの異なるサーバーにも適用することができるサーバーシステム及びそのバックボードを提供することを目的とする。【解決手段】本発明に係るバックボードは、第一コネクタと、第二コネクタと、ハードディスクドライブの仕事状態をそれぞれ示す複数の指示部品と、を備える。第一コネクタは全ての指示部品に接続され、第二コネクタは指示部品の一部に接続される。【選択図】図２
2014154144.tif 000002
【特許請求の範囲】
【請求項１】
第一コネクタと、
第二コネクタと、
ハードディスクドライブの仕事状態をそれぞれ示す複数の指示部品と、
を備えてなるハードディスクドライブのバックボードであって、
前記第一コネクタは全ての前記指示部品に接続され、前記第二コネクタは前記指示部品の一部に接続されることを特徴とするハードディスクドライブのバックボード。
【請求項２】
前記バックボードが通電する場合、前記第一コネクタは全ての指示部品に電気的に接続され又は一部の指示部品に電気的に接続され、前記指示部品に制御信号を送信し、前記指示部品の発光状態を制御することを特徴とする請求項１に記載のバックボード。
【請求項３】
前記第一コネクタに接続される前記指示部品は、前記制御信号を受信するかどうかによって発光するかどうかを判断することを特徴とする請求項２に記載のバックボード。
【請求項４】
前記バックボードが通電する場合、前記第二コネクタは前記第二コネクタに接続される一部の指示部品に電気的に接続される又は接続されず、前記指示部品に制御信号を送信し、前記指示部品の発光状態を制御することを特徴とする請求項１から３の何れか一項に記載のバックボード。
【請求項５】
前記第二コネクタに接続される指示部品は、前記制御信号を受信するかどうかによって発光するかどうかを判断することを特徴とする請求項４に記載のバックボード。
【請求項６】
少なくとも１つのマザーボードと、
複数のハードディスクドライブと、
請求項１から５の何れか一項に記載されたバックボードと、を備えることを特徴とするサーバーシステム。
【請求項７】
前記マザーボードは、前記ハードディスクドライブの仕事状態に基づき、制御信号を送信するかどうかを判断することを特徴とする請求項６に記載のサーバーシステム。
【請求項８】
前記ハードディスクドライブの内の１つが仕事状態でない場合、前記マザーボードは前記第一コネクタ及び前記第二コネクタのうちの少なくとも１つを通じて前記ハードディスクドライブと対応する指示部品に制御信号を送信し、指示部品を発光させることを特徴とする請求項７に記載のサーバーシステム。
【請求項９】
更に少なくとも１つの連接板及び少なくとも１つのケーブルを備え、前記マザーボードは前記連接板を通じて前記バックボードに連接され、前記連接板には、連接器と、デコーディング部品と、駆動部品と、を備え、前記連接器は、前記ケーブルを通じて前記第一コネクタ及び前記第二コネクタのうちの少なくとも１つに接続され、前記デコーディング部品は、前記マザーボードによる制御信号をデコーディングし、前記駆動部品は前記制御信号を増幅し且つ仕事状態ではない前記ハードディスクドライブの前記指示部品に送信することを特徴とする請求項８に記載のサーバーシステム。
【請求項１０】
前記マザーボードを２つ備え、各前記マザーボードは前記ハードディスクドライブを分けて制御し、前記各マザーボードは前記連接板を通じて前記バックボードに連接され、前記連接器を通じて前記第一コネクタに電気的に接続され、前記全ての指示部品に電気的に接続されることを特徴とする請求項９に記載のサーバーシステム。
【請求項１１】
前記マザーボードを四つ備え、前記連接板は第一連接板及び第二連接板を備え、前記各マザーボードは、前記ハードディスクドライブを分けて制御し、２つのマザーボードは第一連接板を通じてバックボードに連接され、前記第一連接板上の連接器を通じて前記第一コネクタに接続され且つ一部の前記指示部品に接続され、他の２つのマザーボードは前記第二連接板を通じて前記バックボードに連接され、前記第二連接板上の連接器を通じて前記第二コネクタに接続され且つその他の指示部品に接続されることを特徴とする請求項９に記載のサーバーシステム。
【発明の詳細な説明】
【技術分野】
【０００１】
本発明は、サーバーシステム及びそのバックボードに関するものである。
【背景技術】
【０００２】
従来の技術において、ハードディスクドライブの仕事状態を示す複数の指示部品はハードディスクドライブのバックボードに装着され、マザーボードによる制御信号に従って、発光するかどうかによってハードディスクドライブの仕事状態を示す。マザーボードはコネクタを通じて指示部品に接続される。異なるサーバー内、例えば、マザーボードの数量が異なるサーバー又はマザーボードの相対位置が異なるサーバー内には、異なるコネクタを有する異なるバックボードを使用して、マザーボートをハードディスクドライブに接続するのが一般的である。しかしこのような場合、異なるバックボードをそれぞれ生産する必要があるため、生産コストを増加させる。
【発明の概要】
【発明が解決しようとする課題】
【０００３】
本発明の目的は、前記問題を解決し、どの異なるサーバーにも適用することができるサーバーシステム及びそのバックボードを提供することである。
【課題を解決するための手段】
【０００４】
上記目的を達成するために、本発明に係るバックボードは第一コネクタと、第二コネクタと、ハードディスクドライブの仕事状態をそれぞれ示す複数の指示部品と、を備える。前記第一コネクタは全ての指示部品に接続され、前記第二コネクタは指示部品の一部に接続される。
【発明の効果】
【０００５】
本発明に係るバックボードは、全ての指示部品に接続されることが可能な第一コネクタが設置されているので、第一コネクタを全ての指示部品又は一部の指示部品に電気的に接続させ、第二コネクタを使用しない又は使用することによって、バックボードを異なるサーバーに適用させることができる。
【図面の簡単な説明】
【０００６】
【図１】本発明の第一実施形態に係るサーバーシステムのブロック図である。
【図２】本発明の第二実施形態に係るサーバーシステムのブロック図である。
【発明を実施するための形態】
【０００７】
図１に示したように、本発明の第一実施形態に係る第一サーバーシステム１００は、２つのマザーボード１０、１２と、１つの連接板１４と、バックボード１６と、１２個のハードディスクドライブ１８と、ケーブル１９と、を備える。マザーボード１０は、連接板１４を通じて、バックボード１６及び六つのハードディスクドライブ１８に接続され、マザーボード１２は、連接板１４を通じてバックボード１６及び他の六つのハードディスクドライブ１８に接続される。マザーボード１０、１２及び連接板１４はキャビネットの同一層に装着される。
【０００８】
バックボード１６には、少なくとも２つのコネクタ１６１（第一コネクタ）、１６３(第二コネクタ)及び１２個のハードディスクドライブ１８にそれぞれ対応する１２個の指示部品１６５が設置されている。指示部品１６５は、ハードディスクドライブ１８の仕事状態をそれぞれ指示する。本実施形態において、指示部品１６５は、発光ダイオードである。第一コネクタ１６１は、全ての指示部品１６５に接続され、第二コネクタ１６３は一部の指示部品１６５に接続される。本実施形態において、第二コネクタ１６３は、六つの指示部品１６５に接続される。
【０００９】
マザーボード１０、１２は各自が制御するハードディスクドライブ１８の仕事状態をそれぞれ獲得する。例えば、マザーボード１０の制御するハードディスクドライブ１８が仕事状態ではない場合、マザーボード１０は仕事状態ではないハードディスクドライブ１８と対応する指示部品１６５に制御信号を送信する。制御信号を受信した指示部品１６５は、この制御信号に従って、発光していない状態から発光状態に切り替わる。これにより、ユーザは、仕事状態ではないハードディスクドライブ１８を発見できる。本実施形態において、マザーボード１０、１２は、制御信号を送信しないことによって、仕事状態中のハードディスクドライブ１８の指示部品１６５を発光させないように制御する。
【００１０】
連接板１４には、連接器１４１、デコーディング部品１４３、駆動部品１４５、が設置されている。連接器１４１は、ケーブル１９を通じで第一コネクタ１６１に接続され、駆動部品１４５及びデコーディング部品１４３を通じてマザーボード１０、１２に接続される。デコーディング部品１４３はマザーボード１０、１２の制御信号を受信し且つデコーディングした後、デコーディングされた制御信号を駆動部品１４５に送信する。駆動部品１４５は、デコーディングされた制御信号を受信し且つ増幅した後、連接器１４１及び第一コネクタ１６１を通じて、仕事状態ではないハードディスクドライブ１８と対応する指示部品１６５に増幅した制御信号を送信し、該指示部品１６５を発光させる。
【００１１】
第一サーバーシステム１００が通電すると、第一コネクタ１６１は全ての指示部品１６５に電気的に接続され、指示部品１６５に制御信号を送信し、指示部品１６５の発光状態を制御する。この時、第二コネクタ１６３は使用されない。
【００１２】
図２を参照すると、第二サーバーシステム２００は、四つのマザーボード２０、２１、２２、２３と、第一連接板２４と、第二連接板２５と、バックボード２６と、１２個のハードディスクドライブ２８と、二本のケーブル２９と、を備える。各マザーボード２０、２１は、第一連接板２４を通じてバックボード２６及び三つのハードディスクドライブ２８にそれぞれ接続され、各マザーボード２２、２３は、第二連接板２５を通じてバックボード２６及び三つのハードディスクドライブ２８にそれぞれ接続される。マザーボード２０、２１及び第一連接板２４はキャビネットの第一層に装着される。マザーボード２２、２３及び第二連接板２５はキャビネットの第二層に装着される。
【００１３】
バックボード２６は、バックボード１６と同じである。即ち、バックボード２６には、少なくとも２つのコネクタ２６１(第一コネクタ)、２６３(第二コネクタ)及び１２個のハードディスクドライブ２８にそれぞれ対応する１２個の指示部品２６５が設置されている。指示部品２６５は、ハードディスクドライブ２８の仕事状態をそれぞれ指示する。本実施形態において、指示部品２６５は、発光ダイオードである。第一コネクタ２６１は、全ての指示部品２６５に接続され、第二コネクタ２６３は一部の指示部品２６５に接続される。本実施形態において、第二コネクタ２６３は六つの指示部品２６５に接続される。
【００１４】
マザーボード２０、２１、２２、２３は各自が制御するハードディスクドライブ２８の仕事状態をそれぞれ獲得する。例えば、マザーボード２０の制御するハードディスクドライブ２８が仕事状態ではない場合、マザーボード２０は仕事状態ではないハードディスクドライブ２８と対応する指示部品２６５に制御信号を送信する。制御信号を受信した指示部品２６５は制御信号に従い、発光していない状態から発光状態に切り替わる。これにより、ユーザは仕事状態ではないハードディスクドライブ２８を発見できる。本実施形態には、マザーボード２０、２１、２２、２３は制御信号を送信しないことによって、仕事状態中のハードディスクドライブ２８の指示部品２６５を発光させないように制御する。
【００１５】
第一連接板２４には連接器２４１、デコーディング部品２４３、駆動部品２４５が設置されている。連接器２４１は１つのケーブル２９を通じて第一コネクタ２６１に接続され、駆動部品２４５及びデコーディング部品２４３を通じてマザーボード２０、２２にそれぞれ接続される。デコーディング部品２４３はマザーボード２０、２２の制御信号を受信し且つデコーディングした後、デコーディングされた制御信号を駆動部品２４５に送信する。駆動部品２４５はデコーディングされた制御信号を受信し且つ増幅した後、連接器２４１及び第一コネクタ２６１を通じて、仕事状態ではないハードディスクドライブ２８と対応する指示部品２６５に増幅した制御信号を送信し、該指示部品２６５を発光させる。
【００１６】
第二連接板２５には、連接器２５１、デコーディング部品２５３、駆動部品２５５、が設置されている。連接器２５１は、もう１つのケーブル２９を通じて第二コネクタ２６３に接続され、駆動部品２５５及びデコーディング部品２５３を通じてマザーボード２２、２３にそれぞれ接続される。デコーディング部品２５３はマザーボード２２、２３の制御信号を受信し且つデコーディングした後、デコーディングされた制御信号を駆動部品２５５に送信する。駆動部品２５５は、デコーディングされた制御信号を受信し且つ増幅した後、連接器２５１及び第二コネクタ２６３を通じて、仕事状態ではないハードディスクドライブ２８と対応する指示部品２６５に増幅した制御信号を送信し、該指示部品２６５を発光させる。
【００１７】
第二サーバーシステム２００が通電すると、第一コネクタ２６１は六つの指示部品２６５に電気的に接続され、マザーボード２０及び２１による制御信号を前記指示部品２６５に送信し、指示部品２６５の発光状態を制御する。第二コネクタ２６３は、その他の指示部品２６５に電気的に接続され、その他の指示部品２６５にマザーボード２２及び２３による制御信号を送信し、指示部品２６５の発光状態を制御する。
【００１８】
バックボード２６はバックボード１６と同じであるので、第一コネクタ２６１、１６１は全ての指示部品２６５、１６５に接続され、第二コネクタ２６３、１６３はマザーボード２２、２３が実際制御するハードディスクドライブ２８、１８と対応する指示部品２６５、１６５と接続されることが可能となる。これによって、バックボード２６、１６は第二サーバーシステム２００又は第一サーバーシステム１００に装着されることが可能になり、生産コストを節約できる。
【符号の説明】
【００１９】
１０、１２、２０、２１、２２、２３  マザーボード
１４  連接板
１４１、２４１、２５１  連接器
１４３、２４３、２５３  デコーディング部品
１４５、２４５、２５５  駆動部品
１６、２６  バックボード
１６１、２６１  第一コネクタ
１６３、２６３  第二コネクタ
１６５、２６５  指示部品
１８、２８  ハードディスクドライブ
１９、２９  ケーブル
１００  第一サーバーシステム
２００  第二サーバーシステム
２４  第一連接板
２５  第二連接板
【図１】
2014154144.tif 000003
【図２】
2014154144.tif 000004